(57)【要約】【課題】ユーザーに対して負担をしいることなく、安全に情報を提供することが可能な情報提供システムを提供する。【解決手段】情報提供システム１は、映像を撮影する映像撮影手段２と撮影された映像を解析する映像解析手段３と解析の結果を基に各手段に対して指示を行う制御手段４と、映像を投影することのできる投影手段５と、透明、不透明を制御できる表示手段６と、投影される映像データを保存している映像保存手段７によって構成され、映像撮影手段２で撮影した結果を、映像解析手段３により解析することにより、ユーザーが認識された場合には、表示手段６の一部を不透明にして投影手段５により投影することにより、ユーザーに対して、情報を提供する。【選択図】図１
2010204512.tif 000002
【特許請求の範囲】
【請求項１】
所定の場所の映像を撮影する映像撮影手段と、
前記映像撮影手段により撮影された前記映像を解析する映像解析手段と、
透明度を調節可能な表示手段と、
前記表示手段に映像を投影する投影手段と、
前記投影手段が投影する映像情報を保存している映像保存手段と、
前記映像解析手段の解析結果に基づいて、前記表示手段、前記投影手段、および前記映像保存手段に対して制御を行う制御手段と、を備えたことを特徴とする情報提供システム。
【請求項２】
請求項１に記載の情報提供システムにおいて、
前記映像解析手段により前記所定の場所にいる人間の顔を認識した場合、前記制御手段が前記投影手段、前記表示手段、前記映像保存手段に対して指示を行うことを特徴とする情報提供システム。
【請求項３】
請求項２に記載の情報提供システムにおいて、
前記映像解析手段により前記人間の目の位置を認識して、
前記制御手段が前記投影手段、前記表示手段、前記映像保存手段に対して投影する場所の指示を行うことを特徴とする情報提供システム。
【発明の詳細な説明】
【技術分野】
【０００１】
本発明は、ユーザーに情報を提供する情報提供システムに関する。
【背景技術】
【０００２】
ユーザーに対して適切な情報を提供するため、ユーザーの識別情報を元に情報を提供するシステムにおいて、情報内容を効果的に伝えるため、透明度を調節できる表示手段に対して投影装置を用いて情報、例えば広告を提供する情報提供システムがある（例えば、特許文献１参照）。
【先行技術文献】
【特許文献】
【０００３】
【特許文献１】特開２００６−２４３７８５号公報
【発明の概要】
【発明が解決しようとする課題】
【０００４】
上記出願においては、ユーザーが識別情報を記録した検出可能な携帯型情報記録媒体、例えばＩＣタグを保持しなければならない、しかしながらこのようなある特定な媒体をユーザーに持たせることはユーザーに対して負担を強いてしまう。また、常に検出可能な状態で記録媒体を保持していると、無線により意図せずデータを読み込まれてしまい、個人情報の流出につながってしまう。通常は検出不可能な状態で必要な場合のみ、検出可能な状態にする構成の場合、個人情報が流出するおそれはないが、ユーザーが意図して設定しなければならず、ユーザーの利便性を損なってしまう。
【課題を解決するための手段】
【０００５】
本発明は、上記課題の少なくとも一つを解決するように、以下の適用例または形態として実現され得る。
【０００６】
〔適用例１〕本適用例の情報提供システムは、所定の場所の映像を撮影する映像撮影手段と、前記映像撮影手段により撮影された前記映像を解析する映像解析手段と、透明度を調節可能な表示手段と、前記表示手段に映像を投影する投影手段と、前記投影手段が投影する映像情報を保存している映像保存手段と、前記映像解析手段の解析結果に基づいて、前記表示手段、前記投影手段、および前記映像保存手段に対して制御を行う制御手段と、を備えている。
これによりユーザーの映像情報を元に提供する情報内容を決めることができる。
【０００７】
〔適用例２〕上記適用例に記載の情報提供システムは、前記映像解析手段により前記所定の場所にいる人間の顔を認識した場合、前記制御手段が前記投影手段、前記表示手段、前記映像保存手段に対して指示を行うことが好ましい。
これによりユーザーがいる場合、ある特定の方向を向いている場合にのみ情報提供をすることができる。
【０００８】
〔適用例３〕上記適用例に記載の情報提供システムは、前記映像解析手段により前記人間の目の位置を認識して前記制御手段が前記投影手段、前記表示手段、前記映像保存手段に対して投影する場所の指示を行うことが好ましい。
これによりユーザーにとって見やすい位置に情報を投影したり、情報内容と関連する内容の近傍に投影したりすることができる。
【図面の簡単な説明】
【０００９】
【図１】実施例における情報提供システムのブロック図。
【図２】実施例におけるリーチインショーケースの斜視図。
【図３】実施例におけるリーチインショーケースの断面図。
【図４】実施例における情報提供システムの動作を示すフローチャート。
【発明を実施するための形態】
【００１０】
図１は実施例における情報提供システム１のブロック図である。情報提供システム１は、映像を撮影する映像撮影手段２と撮影された映像を解析する映像解析手段３と解析の結果を基に各手段に対して指示を行う制御手段４と、映像を投影することのできる投影手段５と、透明、不透明を制御できる表示手段６と、投影される映像データ（映像情報）を保存している映像保存手段７によって構成されている。
【００１１】
映像撮影手段２について説明を行う。映像撮影手段２とは、例えばＣＣＤやＣＭＯＳを用いたカメラであり映像を撮影できる。カメラは所定の場所を撮影するように配置されている。図示しない感知手段により所定の場所にユーザーがいることを感知した場合に撮影するようになっていてもよい。所定の場所とは、情報提供システム１の場合、下記にて述べる表示手段５の前方となる。撮影範囲はカメラの性能によって決まるが、ユーザーのサイズは複数あることから、複数の映像撮影手段２を用いて死角をなくすことができる。
【００１２】
映像解析手段３について説明を行う。映像撮影装置２によって撮影された映像のパターン認識を行い、人間が撮影されており、その人間の顔が映っていると認識できた場合、その人間がユーザーとして所定の位置にいると判断し、映像より目の位置を求め、制御手段４へ目の位置情報を伝達する。
【００１３】
制御手段４は、映像解析手段３から送られてきた目の位置情報に基づき、目の位置と投影する情報の内容から投影する位置を計算し、情報と関連する内容を、商品を見ているユーザーの目線をさえぎらない投影位置に投影するよう投影手段５を制御し、投影位置を不透明状態にするよう表示手段６に制御し、映像保存手段７に投影する情報内容を投影手段５に送信するよう制御する。
【００１４】
投影手段５について説明する。投影手段５は、光源、例えば高圧水銀ランプの光を、液晶を用いた変調素子と、偏光板により映像を作成しレンズにより拡大して投影する、例えば液晶プロジェクターが用いられる。また、液晶プロジェクターに限らず同様の働きを行う手段であればよい。
【００１５】
表示手段６について説明を行う。表示手段６は液晶層を透明電極が付いた透明部材で挟んだ部材で構成されている。透明電極は電源に接続されており、電極間に電圧をかけることが可能であり、電圧がかかると挟まれた液晶素子は電界により一方向に整列する。これにより、ある方向の偏光の光は透過しやすくなる。また電圧がかかっていない場合は、液晶が不揃いになっており様々な方向の光を散乱する。これにより透明度を制御することが可能である。このような部材には、たとえば調光ガラスと呼ばれるものを利用できる。
【００１６】
映像保存手段７は、ＨＤＤなどで構成されており、商品を宣伝する広告などがデータとして蓄積されており、制御手段４により、投影手段５に対して映像データを送信する。
【００１７】
次に具体的なシステム構成について説明を行う。情報提供システム１は、情報をユーザーに提供するシステムであり、例えばコンビニエンスストアなどに設置されている、リーチインショーケース８と組み合わせることができる。
【００１８】
図２はリーチインショーケース８を説明する図である。リーチインショーケース８とは、コンビニエンスストアなどに設置されているショーケース内に複数の棚９が配置され、商品１０を例えばビールなどを多数陳列することのできるショーケースである。またリーチインショーケース８の前面には透明なドア１１が設置されており、ユーザーはドア１１を開けることなくショーケース内の商品を確認することができ、またドア１１を開けることでユーザーは商品１０を取ることができる。
【００１９】
図３は映像撮影手段２の配置について説明する図である。映像撮影手段２はリーチインショーケース８の内部に配置されており、ドア１１越しにドア１１の前面の様子を撮影している。また撮影手段２は棚９の上部に配置することにより、ドア１１の前面にいるユーザーから映像撮影手段２を見えにくくする。
【００２０】
ドア１１の前面にユーザーがいる場合、ユーザーは映像撮影手段２により撮影され、映像解析手段３によりユーザーがドア１１の前面にいることが識別される。
【００２１】
映像解析手段３によりユーザーがドア１１の前面にいると識別された場合、映像解析手段３より、目の位置情報を制御手段４に送る。ユーザーがドア１１の前面におり、目が認識できる場合は、ユーザーがリーチインショーケース８の内部の商品１０を見ていると推測することができる。制御手段４は、映像解析手段３より送られてきた目の位置情報と、あらかじめ設定されている、投影手段５によって表示する情報内容とを考慮して、情報内容に関連する商品を目線から遮らない位置に情報を表示するよう計算し、図３のように投影場所を決定する。
【００２２】
ドア１１には表示手段６が配置されており、表示手段６が透明状態の場合、リーチインショーケース９の内部の商品１０を確認することができる。また表示手段６はエリア毎に透明度を制御することができる。制御手段４は表示手段６にどのエリアの透明度を調整するか制御し、投影手段５に対してもどこのエリアに投影するか制御する。投影手段５は指示されたエリアにのみ映像を投影し、その他のエリアには映像を投影しないか、黒表示を投影する。
【００２３】
また、制御手段４は、映像保存手段７に対して、保存している映像データの内、どのデータを投影手段５に対して送信するかを指示することができる。
【００２４】
この結果、ドア１１は、一部が不透明（光散乱状態）になりその部分に映像情報が投影され、ユーザーは映像情報と商品を同時に見ることができる。
解析手段３、制御手段４、映像保存手段７はパソコンなどによって構成されている。
【００２５】
図４は情報提供システム１の動作を示すフローチャートである。Ｓ００１では、映像撮影手段２が所定の位置の映像を撮影する。Ｓ００２では、映像解析手段３が、映像認識装置２によって撮影された映像のパターン認識を行い、ユーザーとしての人間が撮影されており、その人間の顔が映っているかどうかを判断する。その結果、ユーザーの顔が認識できなかった場合は、撮影と判断の作業を続ける。また、ユーザーの顔が認識できた場合は次に進む。Ｓ００３では、映像解析手段３が、映像認識装置２によって撮影された映像からユーザーの目の位置を認識する。Ｓ００４では、制御手段４が、映像解析手段３から送られてきた目の位置情報に基づき、目の位置と投影する情報の内容から投影する位置を計算する。Ｓ００５では、投影を開始するために、制御手段４が、投影手段５を動作させる。Ｓ００６では、制御手段４が、投影する位置を表示手段５に送信し、表示手段５の透明度や透明とする位置を制御するとともに、投影する位置を投影手段５に送信し、投影すべき位置のみに投影されるように制御する。Ｓ００７では、制御手段４が投影手段５に映像保存手段７から投影する映像内容を取得させる。Ｓ００８では、投影手段５が映像保存手段７から取得した映像を投影する。
【００２６】
＜変形例＞
映像撮影手段２により撮影した映像を映像解析手段３で解析した結果、ユーザーを識別できた場合、ある一定時間、ユーザーを識別し続けることができた場合に情報提供システムにより情報提供を行うようにしてもよい。
【００２７】
以上の構成により以下の効果を得ることができる。ユーザーは特別な媒体を持たなくてもドアの前面に立つだけで必要に応じた情報、例えば商品との関連性を持った情報、を得ることができ、利便性と機密性を高めることができる。
【符号の説明】
【００２８】
１…情報提供システム、２…映像撮影手段、３…映像解析手段、４…制御手段、５…投影手段、６…表示手段、７…映像保存手段、８…リーチインショーケース、９…棚、１０…商品、１１…ドア。
【図１】
2010204512.tif 000003
【図２】
2010204512.tif 000004
【図３】
2010204512.tif 000005
【図４】
2010204512.tif 000006